(57)【要約】【課題】地下の波動の方向を効果的に修正する地場改良方法を提供する。【解決手段】土地から発生する磁場を測定して（ステップＳ１）、この測定結果に基づいて磁場の方向を修正する地場改良方法であって、土地に略垂直にアースパンクチャを刺設することにより磁場の方向を修正するアースパンクチャ刺設工程（ステップＳ３）と、土地に磁場の方向を修正するエネルギープレートを埋設するエネルギープレート埋設工程（ステップＳ５）と、土地の表面に磁場の方向を修正する土壌改良剤（医王素）を散布する土壌改良剤散布工程（ステップＳ７）と、土壌改良剤の上から妙水を散布することにより磁場の方向を修正すると共に、土壌改良剤を地下に浸透させる妙水散布工程（ステップＳ９）とを含む。【選択図】      図２
2004285593.tif 000002
【特許請求の範囲】
【請求項１】
土地から発生する磁場を測定して、この測定した結果に基づいて前記磁場の方向を修正する地場改良方法であって、
前記土地に略垂直にアースパンクチャを刺設することにより前記磁場の方向を修正するアースパンクチャ刺設工程と、
前記土地に前記磁場の方向を修正するエネルギープレートを埋設するエネルギープレート埋設工程と、
前記土地の表面に前記磁場の方向を修正する土壌改良剤を散布する土壌改良剤散布工程と、
前記土壌改良剤の上方から妙水を散布することにより前記磁場の方向を修正すると共に、前記土壌改良剤を地下に浸透させる妙水散布工程と、
を含むことを特徴とする地場改良方法。
【発明の詳細な説明】
【０００１】
【発明の属する技術分野】
本発明は、土地から発生する磁場を測定して、この磁場の方向を修正する地場改良方法に関し、特に、土地の一定の範囲（地場）から発生する磁場を測定して、この磁場の方向を修正する地場改良方法に関する。
【０００２】
【従来の技術】
従来、私たちが生活している土地の下方、つまり地中には水脈や断層・亀裂などがあり、そこからはヒトや動植物にとって多かれ少なかれ有害な波動が出ている場合がある。これにより、人や動物は知らず知らずに健康上の害を被ったり、植物は生育に影響を被ったりしていることがある。この波動は磁場から発生するものであり、これを地線と称し、また、その磁場の領域を刺激帯域又は障害帯域などと呼んでいる。
【０００３】
図３は、土地から波動が発生する様子を示す概略図である。図３に示すように、磁場から発生する波動は、地中にある水脈や断層・地面の亀裂、および洞穴（空洞、洞）から発せられている。これらを総称して波動２２と言っている。例えば、自然の放射線が引き金になった波動２２は、様々な波動２２の高さ・方向・広がりをもっており、また、その密度も様々である。また、この波動２２は常に変化をしている。一般には、これらの波動２２は微細であるが、これらの微細な波動２２を測定して、磁場を修正する方法が非特許文献１に開示されている（例えば、非特許文献１参照）。
【０００４】
【非特許文献１】
パウル・シュミット、ラジエステティック、［ｏｎｌｉｎｅ］、平成１４年１２月３０日、サトルエネルギー学会、［平成１４年１２月３０日検索］、インターネット＜ＵＲＬ：  ＨＹＰＥＲＬＩＮＫ  ”ｈｔｔｐ：／／ｗｗｗ．ｒａｙｏｎｅｘ．ｃｏ．ｊｐ／ｒａｄｉａｅｓｔｈｅｓｉｅ．ｈｔｍｌ”  ｈｔｔｐ：／／ｗｗｗ．ｒａｙｏｎｅｘ．ｃｏ．ｊｐ／ｒａｄｉａｅｓｔｈｅｓｉｅ．ｈｔｍｌ＞
【０００５】
【発明が解決しようとする課題】
しかしながら、前記方法においては、見えない地下の波動の方向を修正する方法が具体的ではないという問題があった。
【０００６】
本発明は、前記課題を解決するためになされたものであり、地下の波動の方向を効果的に修正する地場改良方法を提供することを課題とする。
【０００７】
【課題を解決するための手段】
前記課題を解決した本発明の請求項１に記載の地場改良方法は、土地から発生する磁場を測定して、測定結果に基づいて前記磁場の方向を修正する地場改良方法であって、前記土地に略垂直にアースパンクチャを刺設することにより前記磁場の方向を修正するアースパンクチャ刺設工程と、前記土地に前記磁場の方向を修正するエネルギープレートを埋設するエネルギープレート埋設工程と、前記土地の表面に前記磁場の方向を修正する土壌改良剤（医王素）を散布する土壌改良剤散布工程と、前記土壌改良剤の上方から妙水を散布することにより前記磁場の方向を修正すると共に、前記土壌改良剤を地下に浸透させる妙水散布工程とを含むことを特徴とする。
【０００８】
請求項１に記載の発明によれば、アースパンクチャ刺設工程と、エネルギープレート埋設工程と、土壌改良剤散布工程と、妙水散布工程とを含み、磁場の方向を効果的に修正することができる。その結果、土地に住む人や動物、および植物のさらなる健康を得ることができる。
【０００９】
【発明の実施の形態】
本発明に係る地場改良方法の一実施の形態について図面を参照して説明する。図１は、一実施の形態に係る地場改良方法を示す概略図であり、その土地から発生する磁場を測定して、この磁場の方向を修正する地場改良方法を示している。
【００１０】
図１（ａ）は土地１の磁場２を模式的に示す断面斜視図であり、図１（ｂ）は図１（ａ）のＡ−Ａ線に示す断面図である。図１（ａ）に示すように、土地１からは、磁場２が発生している。この磁場２を測定装置７を用いて測定する。次に磁場測定結果に基づいて、この磁場２の方向を修正するために、アースパンクチャ３を土地１に略垂直に刺設している。図１（ｂ）に示すように、さらに、この磁場２の方向を修正するために、土地１に穴４を約４０ｃｍ堀り、エネルギープレート８を埋設している。さらに、また、この磁場２の方向を修正するために、土地１の表面に土壌改良剤５を散布している。この土壌改良剤５の上方から妙水を散布している。エネルギープレート８は、平面視して円形状に形成されている。土壌改良剤５は、５５〜６０ｗｔ％の珪素を含有している。因みに、測定装置７は、ジオマグネトメーターと言い、磁束密度（ガウス又はテスラ）を測定している。尚、エネルギープレート８は、平面視して円形状に形成された一般に知られたものを用いているが、円形状に限るものではなく、三角形や四角形などその他の形状であっても良い。
【００１１】
アースパンクチャ３は、鉄、銅、又は樫などの材料を用いて針状に形成されており、直径は約２０ｍｍ、全長は１ｍ程に形成されている。このアースパンクチャ３は、土地１の表面から見えなくなるまで打つことによって地中に埋め込まれる。因みに、これらの材質を使い分けるための用途は場所によって決まる。このアースパンクチャ３によって、エネルギーの漏れを防止し、地下の水脈から発生する波動の修正を行うことができる。例えば、実施例によると、１つの工事にエネルギープレート８を２０個前後、アースパンクチャ３を１０本前後が使われている。このようにして、エネルギープレート８やアースパンクチャ３を地中に埋設した後に測定装置７により磁場を測定した場合、例えば、埋設前の数値が２００ミリガウスであったものが、埋設後の数値は、方向が揃って３００ミリガウスの磁場が得られた。今後、さらに、この数値を４００〜５００ミリガウスに上げて行くことと、所定の方向へ修正することにより、より安定した磁場が得られる。
【００１２】
エネルギープレート８は、常に一定の磁場を保つために用いられる。これを穴４に埋めて置く。このエネルギープレート８は、例えば、土地１に深さ約４０ｃｍに掘削された穴４に埋設する。また、エネルギープレート８の材質はセラミックであり、水に触れるとエネルギー（熱量）を発生する。このセラミックの板（エネルギープレート８）は、複数の穴を有した陶磁器である。例えば、直径約６ｍｍの穴を９個有している。さらに、この周囲に、直径１ｍ、深さ１ｍの穴を掘削して竹炭を約２００Ｌ程度埋設する。この竹炭は細かい粒子状のものである。このとき、竹炭は導電性を有さない処理が施されている。このような竹炭を地下深くに埋設して、さらに、その上に土壌改良剤を散布する。エネルギープレート８は、直径約６ｍｍの穴を９個有しているものを用いたが、直径６ｍｍ程度であれば良い。また、穴の数は９個に限るものではなく、９個以下であっても良い。
【００１３】
土壌改良剤５は、医王素と称される一般に知られた土壌改良剤である。これを土地１の表面に散布して行く。この医王素５は、いわゆる石であり、珪素を５５〜６０ｗｔ％含んでいる。この医王素（石）はミネラルが多い石の１つであり、いわゆる薬石である。これを土地１の表面に１６０ｇ／ｍ２の割合で散布する。粒度は目的によって異なり、８０メッシュ、或いは粉末状のものを用いる。これらの情報は、一般に知られた建設物価本に記載されている。実施例によると、資材として、多い時は仙台のケヤキ並木に８００トンの医王素５が使われている。この医王素５は、本出願者によって２５年前に開発され、周知のものとなっているが、これほど多くのミネラルを含んだ石は少ない。これらを散布する理由は、酸性雨の問題と微生物の活性化にある。つまり、酸性雨が降ると、嫌気性微生物が増殖してしまう。そのため、微量ミネラルを土地に与えることによって、しかも一回散布することで劣化した土壌が回復して行く。また、肥沃な土壌は、コロニー状になっているため、降雨の際に、医王素５は、さっと地中に浸透して行く。また、一部には腐敗菌を抑える作用があり、これにより微生物のバランスが良くなる。いわゆる、嫌気性微生物、好気性微生物に対応する土壌の残留構造を蘇生させることができる。このように、地下の状態を改良することができる。これは大変効果的であり宅地にも畑においても使用される。また、植物の栽培などにも使用される。また、この医王素５は土壌自体を改良する土壌改良剤であるため、これを畑に使う場合には、無農薬栽培や有機栽培などと言われる土地改良方法とは一線を画すものであり、優れた効果を有する。また、土壌改良剤である医王素５を、土地１の表面に１６０ｇ／ｍ２の割合で散布したが、この割合に限定されるものではなく適宜増減することもできる。
【００１４】
妙水６は、本出願人によって１０年ほど前に開発され、一般に知られ販売されている活性水である。この妙水６は、水分子クラスタが細分化されており、エネルギーが高く活性化されている。また、波動を含んでいる。このような妙水６は、ＰＨ値が約７．４を示し、弱アルカリ性を呈している。また、この妙水６は、土地１に一回散布することによって医王素５を地下に浸透させて行くことができる。そのため、浸透した段階で散布し続ける必要はない。
【００１５】
さらに、プチラブ（図略）というものがあり、これは一般に知られた洗剤の一種であるが、このプチラブなどを用いることによって土地を活性化することもできる。この洗剤は、大豆油の再利用であり、洗剤としては勿論、歯磨きなどにも用いることができる。
【００１６】
磁場２の測定装置７としては、ダウジングロッド（図略）を使うこともあり、これは、地下の水脈や古い水道管を探す時に水道事業などにおいて一般的に用いられている。
【００１７】
また、測定装置７の測定値に基づいて、アースパンクチャ３やエネルギープレート８を埋設する場所を探索する。この測定装置７は、磁束密度を測定している。このとき、地下に水脈があると、この磁束密度が変化する。尚、磁束密度が高く、方向が一定で安定したところが良い土地である。この磁束密度がピーク値を示したところに埋設位置を特定する。この機械は、各大学や、航空機などにおいても一般的に使われる機械であり地力を測定することができる。この地力によって生じる磁束密度は、良い土地と言われるところでは、５００ミリガウスほどの値を示す。このような土地からは、良いエネルギーが絶え間なく放出されていて、そこで生活するだけで健康になり、運気が向上する。つまり、癒しのパワーが溢れている。
【００１８】
次に、以上の構成を備えた地場改良方法の動作を説明する。
図２は、本発明の一実施の形態に係る地場改良方法を示すフローチャートである。図２に示すように、図面と機械とを用いて磁束密度を測定する。さらに、地下水脈の流れなどを測定し、地磁気の流れである実際の北と比較する。つまり、この地磁気の流れの持つパワーが地場エネルギーである。例えば、地磁気の流れが、ある地点では実際の北に対して東に１０度傾いている場合があり、その他の地点では、逆に西に２０度傾いていたりする場合がある。このように、土地１について４箇所を測定した場合に、この４箇所ともすべて違っている場合がある。いわゆる、通常、地磁気は南から北に向けて流れているが、実際に土地１から発生する磁場２を測定する（ステップＳ１）、この測定結果に基づいて磁場２の方向が狂っていると（ステップ２：Ｙｅｓの場合）、磁場２の方向を修正するために、土地１に略垂直にアースパンクチャ３を刺設する（ステップ３）。
【００１９】
次に、アースパンクチャ３が使い難い場所である場合や、アースパンクチャ３を用いても磁場２の方向の修正が完璧でない場合は、さらに土地１から発生する磁場２を測定し、この測定結果に基づいて（ステップ４：Ｙｅｓの場合）、磁場２の方向を修正するために、土地１に磁場２の方向を修正するエネルギープレート８を埋設する（ステップ５）。
【００２０】
この後、さらに土地１から発生する磁場２を測定し、この測定結果に基づいて（ステップ６：Ｙｅｓの場合）、土地１の表面に磁場２の方向を修正する土壌改良剤（医王素）５を散布する（ステップ７）。
【００２１】
また、さらに土地１から発生する磁場２を測定し、この測定結果に基づいて（ステップ８：Ｙｅｓの場合）、土壌改良剤５の上から妙水６を散布することにより磁場２の方向を修正すると共に、土壌改良剤５を地下に浸透させる（ステップＳ９）。このようにして、その土地１に住む人間に良い影響を与え、人間を気持ち良くさせることができる。また、良いエネルギーが絶え間なく放出されていると、住んでいるだけで健康になり、運気が向上する。また、逆に地場エネルギーが低い土地では、木が枯れ、作物の実りも少なく、生命力を減退させてしまう。
【００２２】
また、本出願者は、地球環境の悪化により失われた水の機能を本来の水に戻す技術を開発しエネルギーの高い水である妙水の開発に成功している。この水のエネルギーと、土地のエネルギーとを統合させた独自の方法により、地場エネルギーを地点ごとに数値化している。そして、この数値をもとに、点数の低い地点の改善と、全体のエネルギーのバランスを修正し、癒しのパワー溢れる良い土地に変えることができる。尚、図２のフローチャートにおいて、ステップ２、４、６、８が「Ｎｏの場合」は、良い状態の土地であるので、そのまま調査を終了し、後日、定期的に測定を行い、磁場の方向に狂いが生じていないかを追跡調査する。
【００２３】
以上好ましい実施の形態について説明したが、本発明は前記実施の形態に限定されるものではなく、本発明の要旨を逸脱することのない範囲内において適宜の変更が可能なものである。例えば、エネルギープレートは、平面視して円形状として説明したが、エネルギーを発生することができるものであれば、矩形状でも、三角形状でも、その他の形状でも構わない。また、磁場の測定する測定装置で磁束密度を測定したが、周波数を測定しても良い。また、電流値、電場、マイクロ波を測定するようにしても構わない。また、磁場の方向を測定する順序、又は修正する順序は、適宜入れ替えることもできる。
【００２４】
【発明の効果】
以上説明したように、請求項１に記載の発明によれば、磁場の測定値に基づいて磁場の方向を修正するように、土地にアースパンクチャを刺設し、さらに、エネルギープレートを埋設し、また、土壌改良剤（医王素）を散布し、さらに、その上から妙水を散布することにより、磁場の方向を効果的に修正することができる。また、その土地に住む人間に良い影響を与え、人間を気持ち良くさせることができる。また、良いエネルギーが絶え間なく放出されていると、住んでいるだけで健康なり、気を向上させることができる。
【図面の簡単な説明】
【図１】本発明の一実施の形態に係る地場改良方法を示す概略図である。（ａ）は土地の磁場を模式的に示す断面斜視図であり、（ｂ）は（ａ）のＡ−Ａ線に示す断面図である。
【図２】本発明の一実施の形態に係る地場改良方法を示すフローチャートである。
【図３】従来例に係る磁場測定方法を示す概略図である。
【符号の説明】
１    土地（地場）
２    磁場
３    アースパンクチャ
４    穴
５    土壌改良剤（医王素）
６    妙水
７    測定装置
８    エネルギープレート
【図１】
2004285593.tif 000003
【図２】
2004285593.tif 000004
【図３】
2004285593.tif 000005